(57)【要約】【課題】  試験装置のメインフレーム及びテストヘッド間で光ファイバケーブルを適切に束ねて配線する。【解決手段】メインフレームとテストヘッドとを光接続する光接続部を備え、光接続部は、複数の光ファイバケーブルと、複数の光ファイバケーブルにおけるテストヘッド側の一部の非収納部分及びメインフレーム側の一部の非収納部分を除いた収納部分を束ねて収納するケーブル収納チェーンと、テストヘッド側の非収納部分及び収納部分の境界部に設けられ、テストヘッド側の非収納部分を内部に収納する長さを調節可能とするテストヘッド側ケーブル収納部と、メインフレーム側の非収納部分及び収納部分の境界部に設けられ、メインフレーム側の非収納部分を内部に収納する長さを調節可能とするメインフレーム側ケーブル収納部とを有する試験装置を提供する。【選択図】図１
2006153766.tif 000002
【特許請求の範囲】
【請求項１】
被試験デバイスを試験する試験装置であって、
前記被試験デバイスにテストパターンを印加するテストヘッドと、
前記テストヘッドのテストシーケンスを制御するメインフレームと、
前記メインフレームと前記テストヘッドとを光接続する光接続部と
を備え、
前記光接続部は、
前記メインフレームと前記テストヘッドとを光接続する複数の光ファイバケーブルと、
前記複数の光ファイバケーブルにおける前記テストヘッド側の一部の非収納部分及び前記メインフレーム側の一部の非収納部分を除いた収納部分を束ねて収納するケーブル収納チェーンと、
前記複数の光ファイバケーブルにおける前記テストヘッド側の前記非収納部分及び前記収納部分の境界部に設けられ、前記複数の光ファイバケーブルにおける前記テストヘッド側の前記非収納部分を内部に収納する長さを調節可能とするテストヘッド側ケーブル収納部と、
前記複数の光ファイバケーブルにおける前記メインフレーム側の前記非収納部分及び前記収納部分の境界部に設けられ、前記複数の光ファイバケーブルにおける前記メインフレーム側の前記非収納部分を内部に収納する長さを調節可能とするメインフレーム側ケーブル収納部と
を有する
試験装置。
【請求項２】
前記テストヘッドは、前記被試験デバイスを上面に載置し、
前記テストヘッド側ケーブル収納部は、前記テストヘッドの下面に取り付けられる
請求項１記載の試験装置。
【請求項３】
前記テストヘッド側ケーブル収納部は、前記ケーブル収納チェーンの前記テストヘッド側の端部を固定する収納チェーン側固定部を含む請求項１記載の試験装置。
【請求項４】
前記テストヘッド側ケーブル収納部は、前記複数の光ファイバケーブルにおける前記テストヘッド側の前記非収納部分を、当該テストヘッド側ケーブル収納部の内部に収納される部分及び当該テストヘッド側ケーブル収納部の外部に延伸する部分の境界において固定するテストヘッド側固定部を含む請求項１記載の試験装置。
【請求項５】
前記ケーブル収納チェーンは、２以上の前記光ファイバケーブルを束ねた集合ケーブルを複数束ねた状態で前記複数の光ファイバケーブルを収納し、
前記テストヘッド側ケーブル収納部は、
前記ケーブル収納チェーンの前記テストヘッド側の端部を固定する収納チェーン側固定部と、
前記ケーブル収納チェーンから延伸する前記集合ケーブルを、２以上の前記光ファイバケーブルに分離する端部において固定する集合ケーブル固定部と、
前記複数の光ファイバケーブルにおける前記テストヘッド側の前記非収納部分を、当該テストヘッド側ケーブル収納部の内部に収納される部分及び当該テストヘッド側ケーブル収納部の外部に延伸する部分の境界において固定するテストヘッド側固定部と
を含む請求項１記載の試験装置。
【請求項６】
前記テストヘッド側ケーブル収納部は、前記光ファイバケーブルにおける前記テストヘッド側の前記非収納部分のうち当該テストヘッド側ケーブル収納部の内部に収納される部分を、前記光ファイバケーブルの許容曲げ半径より大きい曲げ半径となるように湾曲させて固定する収納部内固定部を含む請求項１記載の試験装置。
【請求項７】
前記メインフレーム側ケーブル収納部は、前記ケーブル収納チェーンの前記テストヘッド側の端部を固定する収納チェーン側固定部を含む請求項１記載の試験装置。
【請求項８】
前記メインフレーム側ケーブル収納部は、前記複数の光ファイバケーブルにおける前記メインフレーム側の前記非収納部分を、当該メインフレーム側ケーブル収納部の内部に収納される部分及び当該メインフレーム側ケーブル収納部の外部に延伸する部分の境界において固定するメインフレーム側固定部を含む請求項１記載の試験装置。
【請求項９】
前記ケーブル収納チェーンは、２以上の前記光ファイバケーブルを束ねた集合ケーブルを複数束ねた状態で前記複数の光ファイバケーブルを収納し、
前記メインフレーム側ケーブル収納部は、
前記ケーブル収納チェーンの前記メインフレーム側の端部を固定する収納チェーン側固定部と、
前記ケーブル収納チェーンから延伸する前記集合ケーブルを、２以上の前記光ファイバケーブルに分離する端部において固定する集合ケーブル固定部と、
前記複数の光ファイバケーブルにおける前記メインフレーム側の前記非収納部分を、当該メインフレーム側ケーブル収納部の内部に収納される部分及び当該メインフレーム側ケーブル収納部の外部に延伸する部分の境界において固定するメインフレーム側固定部と
を含む請求項１記載の試験装置。
【請求項１０】
前記メインフレーム側ケーブル収納部は、前記光ファイバケーブルにおける前記メインフレーム側の前記非収納部分のうち当該メインフレーム側ケーブル収納部の内部に収納される部分を、前記光ファイバケーブルの許容曲げ半径より大きい曲げ半径となるように湾曲させて固定する収納部内固定部を含む請求項１記載の試験装置。
【請求項１１】
前記ケーブル収納チェーンの最小曲げ半径は、前記光ファイバケーブルの許容曲げ半径より大きい請求項１記載の試験装置。
【請求項１２】
前記複数の光ファイバケーブルのそれぞれにおける、前記テストヘッド側ケーブル収納部から前記テストヘッドへと延伸する前記テストヘッド側の前記非収納部分の長さは、当該光ファイバケーブルを固定する前記テストヘッド側固定部及び当該光ファイバケーブルを前記テストヘッドに接続するコネクタの位置に応じて定められ、
前記複数の光ファイバケーブルのそれぞれにおける、前記メインフレーム側ケーブル収納部から前記メインフレームへと延伸する前記メインフレーム側の前記非収納部分の長さは、当該光ファイバケーブルを固定する前記メインフレーム側固定部及び当該光ファイバケーブルを前記メインフレームに接続するコネクタの位置に応じて定められる
請求項１記載の試験装置。
【請求項１３】
被試験デバイスを試験する試験装置における、前記被試験デバイスにテストパターンを印加するテストヘッド及び前記テストヘッドのテストシーケンスを制御するメインフレームを光接続する光接続部であって、
前記メインフレームと前記テストヘッドとを光接続する複数の光ファイバケーブルと、
前記複数の光ファイバケーブルにおける前記テストヘッド側の一部の非収納部分及び前記メインフレーム側の一部の非収納部分を除いた収納部分を束ねて収納するケーブル収納チェーンと、
前記複数の光ファイバケーブルにおける前記テストヘッド側の前記非収納部分及び前記収納部分の境界部に設けられ、前記複数の光ファイバケーブルにおける前記テストヘッド側の前記非収納部分を内部に収納する長さを調節可能とするテストヘッド側ケーブル収納部と、
前記複数の光ファイバケーブルにおける前記メインフレーム側の前記非収納部分及び前記収納部分の境界部に設けられ、前記複数の光ファイバケーブルにおける前記メインフレーム側の前記非収納部分を内部に収納する長さを調節可能とするメインフレーム側ケーブル収納部と
を備える光接続部。
【請求項１４】
被試験デバイスを試験する試験装置における、前記被試験デバイスにテストパターンを印加するテストヘッド及び前記テストヘッドのテストシーケンスを制御するメインフレームを光接続する光接続部の製造方法であって、
前記メインフレームと前記テストヘッドとを光接続する複数の光ファイバケーブルにおける前記テストヘッド側の一部の非収納部分及び前記メインフレーム側の一部の非収納部分を除いた収納部分を束ねてケーブル収納チェーンに収納するケーブル収納段階と、
前記複数の光ファイバケーブルにおける前記テストヘッド側の前記非収納部分及び前記収納部分の境界部に、前記複数の光ファイバケーブルにおける前記テストヘッド側の前記非収納部分を内部に収納する長さが調節可能なテストヘッド側ケーブル収納部を設けるテストヘッド側収納段階と、
前記複数の光ファイバケーブルにおける前記メインフレーム側の前記非収納部分及び前記収納部分の境界部に、前記複数の光ファイバケーブルにおける前記メインフレーム側の前記非収納部分を内部に収納する長さが調節可能なメインフレーム側ケーブル収納部を設けるメインフレーム側収納段階と
を備える製造方法。
【請求項１５】
前記メインフレーム側収納段階は、
前記複数の光ファイバケーブルを接続する前記メインフレームとは異なる場所に設けられ、前記複数の光ファイバケーブルをそれぞれ接続する前記メインフレームの複数のコネクタと同じ配置で設けられた複数のコネクタを有するメインフレーム治具に、前記複数の光ファイバケーブルを接続するメインフレーム側仮接続段階と、
前記複数の光ファイバケーブルが前記メインフレーム治具に接続された状態で、前記複数の光ファイバケーブルにおける前記メインフレーム側の前記非収納部分を内部に収納する長さを調整するメインフレーム側ケーブル長調整段階と
を有する請求項１４記載の製造方法。
【発明の詳細な説明】
【技術分野】
【０００１】
本発明は、試験装置、試験装置の光接続部、及びその製造方法に関する。特に本発明は、試験装置のメインフレームとテストヘッドとを光接続する試験装置、試験装置の光接続部、及びその製造方法に関する。
【背景技術】
【０００２】
近年の電子デバイスの高速化に伴い、電子デバイスを試験する試験装置においても、動作の高速化が望まれている。そこで、近年、試験信号や制御信号の高速伝送を実現するため、被試験デバイスにテストパターンを印加するテストヘッドと、テストヘッドのテストシーケンスを制御するメインフレームとを光ファイバケーブルによって接続するものが提案されている。なお、現時点で先行技術文献の存在を認識していないので、先行技術文献に関する記載を省略する。
【発明の開示】
【発明が解決しようとする課題】
【０００３】
信号伝送路として光ファイバケーブルを用いる場合には、光ファイバケーブルの曲率制限を満足させることが必要であり、特にテストヘッドのような動く機器に接続される場合に重大な問題となる。また、テストヘッドのように狭い空間において布設される多数の光ファイバケーブルの曲率制限を満足させることが課題となる。
【０００４】
また、メインフレーム及びテストヘッドの間に多数の光ファイバケーブルを設ける必要があること、及び、メインフレーム及びテストヘッド上のコネクタ位置が光ファイバケーブル毎に異なることから、これらの光ファイバケーブルを適切に束ねて配線することが望まれる。
【０００５】
そこで本発明は、上記の課題を解決することのできる試験装置、光接続部、及び製造方法を提供することを目的とする。この目的は特許請求の範囲における独立項に記載の特徴の組み合わせにより達成される。また従属項は本発明の更なる有利な具体例を規定する。
【課題を解決するための手段】
【０００６】
本発明の第１の形態によると、被試験デバイスを試験する試験装置であって、前記被試験デバイスにテストパターンを印加するテストヘッドと、前記テストヘッドのテストシーケンスを制御するメインフレームと、前記メインフレームと前記テストヘッドとを光接続する光接続部とを備え、前記光接続部は、前記メインフレームと前記テストヘッドとを光接続する複数の光ファイバケーブルと、前記複数の光ファイバケーブルにおける前記テストヘッド側の一部の非収納部分及び前記メインフレーム側の一部の非収納部分を除いた収納部分を束ねて収納するケーブル収納チェーンと、前記複数の光ファイバケーブルにおける前記テストヘッド側の前記非収納部分及び前記収納部分の境界部に設けられ、前記複数の光ファイバケーブルにおける前記テストヘッド側の前記非収納部分を内部に収納する長さを調節可能とするテストヘッド側ケーブル収納部と、前記複数の光ファイバケーブルにおける前記メインフレーム側の前記非収納部分及び前記収納部分の境界部に設けられ、前記複数の光ファイバケーブルにおける前記メインフレーム側の前記非収納部分を内部に収納する長さを調節可能とするメインフレーム側ケーブル収納部とを有する試験装置を提供する。
【０００７】
前記テストヘッドは、前記被試験デバイスを上面に載置し、前記テストヘッド側ケーブル収納部は、前記テストヘッドの下面に取り付けられてもよい。
【０００８】
前記テストヘッド側ケーブル収納部は、前記ケーブル収納チェーンの前記テストヘッド側の端部を固定する収納チェーン側固定部を含んでもよい。
【０００９】
前記テストヘッド側ケーブル収納部は、前記複数の光ファイバケーブルにおける前記テストヘッド側の前記非収納部分を、当該テストヘッド側ケーブル収納部の内部に収納される部分及び当該テストヘッド側ケーブル収納部の外部に延伸する部分の境界において固定するテストヘッド側固定部を含んでもよい。
【００１０】
前記ケーブル収納チェーンは、２以上の前記光ファイバケーブルを束ねた集合ケーブルを複数束ねた状態で前記複数の光ファイバケーブルを収納し、前記テストヘッド側ケーブル収納部は、前記ケーブル収納チェーンの前記テストヘッド側の端部を固定する収納チェーン側固定部と、前記ケーブル収納チェーンから延伸する前記集合ケーブルを、２以上の前記光ファイバケーブルに分離する端部において固定する集合ケーブル固定部と、前記複数の光ファイバケーブルにおける前記テストヘッド側の前記非収納部分を、当該テストヘッド側ケーブル収納部の内部に収納される部分及び当該テストヘッド側ケーブル収納部の外部に延伸する部分の境界において固定するテストヘッド側固定部とを含んでもよい。
【００１１】
前記テストヘッド側ケーブル収納部は、前記光ファイバケーブルにおける前記テストヘッド側の前記非収納部分のうち当該テストヘッド側ケーブル収納部の内部に収納される部分を、前記光ファイバケーブルの許容曲げ半径より大きい曲げ半径となるように湾曲させて固定する収納部内固定部を含んでもよい。
【００１２】
前記メインフレーム側ケーブル収納部は、前記ケーブル収納チェーンの前記テストヘッド側の端部を固定する収納チェーン側固定部を含んでもよい。
【００１３】
前記メインフレーム側ケーブル収納部は、前記複数の光ファイバケーブルにおける前記メインフレーム側の前記非収納部分を、当該メインフレーム側ケーブル収納部の内部に収納される部分及び当該メインフレーム側ケーブル収納部の外部に延伸する部分の境界において固定するメインフレーム側固定部を含んでもよい。
【００１４】
前記ケーブル収納チェーンは、２以上の前記光ファイバケーブルを束ねた集合ケーブルを複数束ねた状態で前記複数の光ファイバケーブルを収納し、前記メインフレーム側ケーブル収納部は、前記ケーブル収納チェーンの前記メインフレーム側の端部を固定する収納チェーン側固定部と、前記ケーブル収納チェーンから延伸する前記集合ケーブルを、２以上の前記光ファイバケーブルに分離する端部において固定する集合ケーブル固定部と、前記複数の光ファイバケーブルにおける前記メインフレーム側の前記非収納部分を、当該メインフレーム側ケーブル収納部の内部に収納される部分及び当該メインフレーム側ケーブル収納部の外部に延伸する部分の境界において固定するメインフレーム側固定部とを含んでもよい。
【００１５】
前記メインフレーム側ケーブル収納部は、前記光ファイバケーブルにおける前記メインフレーム側の前記非収納部分のうち当該メインフレーム側ケーブル収納部の内部に収納される部分を、前記光ファイバケーブルの許容曲げ半径より大きい曲げ半径となるように湾曲させて固定する収納部内固定部を含んでもよい。
【００１６】
前記ケーブル収納チェーンの最小曲げ半径は、前記光ファイバケーブルの許容曲げ半径より大きくてもよい。
【００１７】
前記複数の光ファイバケーブルのそれぞれにおける、前記テストヘッド側ケーブル収納部から前記テストヘッドへと延伸する前記テストヘッド側の前記非収納部分の長さは、当該光ファイバケーブルを固定する前記テストヘッド側固定部及び当該光ファイバケーブルを前記テストヘッドに接続するコネクタの位置に応じて定められ、前記複数の光ファイバケーブルのそれぞれにおける、前記メインフレーム側ケーブル収納部から前記メインフレームへと延伸する前記メインフレーム側の前記非収納部分の長さは、当該光ファイバケーブルを固定する前記メインフレーム側固定部及び当該光ファイバケーブルを前記メインフレームに接続するコネクタの位置に応じて定められてもよい。
【００１８】
本発明の第２の形態によれば、被試験デバイスを試験する試験装置における、前記被試験デバイスにテストパターンを印加するテストヘッド及び前記テストヘッドのテストシーケンスを制御するメインフレームを光接続する光接続部であって、前記メインフレームと前記テストヘッドとを光接続する複数の光ファイバケーブルと、前記複数の光ファイバケーブルにおける前記テストヘッド側の一部の非収納部分及び前記メインフレーム側の一部の非収納部分を除いた収納部分を束ねて収納するケーブル収納チェーンと、前記複数の光ファイバケーブルにおける前記テストヘッド側の前記非収納部分及び前記収納部分の境界部に設けられ、前記複数の光ファイバケーブルにおける前記テストヘッド側の前記非収納部分を内部に収納する長さを調節可能とするテストヘッド側ケーブル収納部と、前記複数の光ファイバケーブルにおける前記メインフレーム側の前記非収納部分及び前記収納部分の境界部に設けられ、前記複数の光ファイバケーブルにおける前記メインフレーム側の前記非収納部分を内部に収納する長さを調節可能とするメインフレーム側ケーブル収納部とを備える光接続部を提供する。
【００１９】
本発明の第３の形態によれば、被試験デバイスを試験する試験装置における、前記被試験デバイスにテストパターンを印加するテストヘッド及び前記テストヘッドのテストシーケンスを制御するメインフレームを光接続する光接続部の製造方法であって、前記メインフレームと前記テストヘッドとを光接続する複数の光ファイバケーブルにおける前記テストヘッド側の一部の非収納部分及び前記メインフレーム側の一部の非収納部分を除いた収納部分を束ねてケーブル収納チェーンに収納するケーブル収納段階と、前記複数の光ファイバケーブルにおける前記テストヘッド側の前記非収納部分及び前記収納部分の境界部に、前記複数の光ファイバケーブルにおける前記テストヘッド側の前記非収納部分を内部に収納する長さが調節可能なテストヘッド側ケーブル収納部を設けるテストヘッド側収納段階と、前記複数の光ファイバケーブルにおける前記メインフレーム側の前記非収納部分及び前記収納部分の境界部に、前記複数の光ファイバケーブルにおける前記メインフレーム側の前記非収納部分を内部に収納する長さが調節可能なメインフレーム側ケーブル収納部を設けるメインフレーム側収納段階とを備える製造方法を提供する。
【００２０】
前記メインフレーム側収納段階は、前記複数の光ファイバケーブルを接続する前記メインフレームとは異なる場所に設けられ、前記複数の光ファイバケーブルをそれぞれ接続する前記メインフレームの複数のコネクタと同じ配置で設けられた複数のコネクタを有するメインフレーム治具に、前記複数の光ファイバケーブルを接続するメインフレーム側仮接続段階と、前記複数の光ファイバケーブルが前記メインフレーム治具に接続された状態で、前記複数の光ファイバケーブルにおける前記メインフレーム側の前記非収納部分を内部に収納する長さを調整するメインフレーム側ケーブル長調整段階とを有してもよい。
【００２１】
なお、上記の発明の概要は、本発明の必要な特徴の全てを列挙したものではなく、これらの特徴群のサブコンビネーションもまた、発明となりうる。
【発明の効果】
【００２２】
本発明によれば、メインフレーム及びテストヘッド間の光ファイバケーブルを適切に束ねて配線することができる。
【発明を実施するための最良の形態】
【００２３】
以下、発明の実施の形態を通じて本発明を説明するが、以下の実施形態は特許請求の範囲にかかる発明を限定するものではなく、また実施形態の中で説明されている特徴の組み合わせの全てが発明の解決手段に必須であるとは限らない。
【００２４】
図１は、本実施形態に係る試験装置１００の構成を示す。本実施形態に係る試験装置１００においては、光接続部１２５を用いて、メインフレーム１１０及びテストヘッド１２０間で信号伝送を行う光ファイバケーブルを適切に束ねて配線する。これにより、光ファイバケーブルの曲率制限を満たしつつ、メインフレーム１１０及びテストヘッド１２０の間の床面上に光ファイバケーブルが露出するのを防ぐ。また、メインフレーム１１０及びテストヘッド１２０の近傍において露出する光ファイバケーブルの長さを調整可能とする。これにより、電気配線と比較して破損しやすい光配線を、電気配線と分離して設置することができ、試験装置１００の組み立てにおいて、光配線を電気配線と比較しより慎重に取り扱うことができる。
【００２５】
試験装置１００は、被試験デバイスを試験する。試験装置１００は、被試験デバイスにテストパターンを印加するテストヘッド１２０と、テストヘッド１２０のテストシーケンスを制御するメインフレーム１１０と、メインフレーム１１０とテストヘッド１２０とを光接続する光接続部１２５とを備える。また、試験装置１００は、テストヘッド１２０及びメインフレーム１１０を電気的に接続する電気接続部を光接続部１２５とは別に備えてもよい。
【００２６】
テストヘッド１２０は、被試験デバイスを載置するパフォーマンスボード１２２を上面に有し、被試験デバイスを上面に載置する。メインフレーム１１０は、１又は複数のテストボード１７０を有し、光接続部１２５を介してテストヘッド１２０との間で授受される信号に基づいて被試験デバイスのテストシーケンスを制御する。
【００２７】
光接続部１２５は、複数の光ファイバケーブル１３０と、１又は複数の光ファイバケーブルユニット１４０と、テストヘッド側ケーブル収納部１５０と、メインフレーム側ケーブル収納部１６０と、ケーブルガイドユニット１８０とを有する。複数の光ファイバケーブル１３０は、メインフレーム１１０とテストヘッド１２０とを光接続する。光ファイバケーブルユニット１４０は、複数の光ファイバケーブル１３０を束ねてケーブル収納チェーンに収納した構成をとる。本実施形態において、テストヘッド側ケーブル収納部１５０及びメインフレーム側ケーブル収納部１６０の間には、光ファイバケーブルユニット１４０が複数設けられる。
【００２８】
テストヘッド側ケーブル収納部１５０は、複数の光ファイバケーブル１３０におけるテストヘッド１２０側の非収納部分及び収納部分の境界部に設けられ、テストヘッド１２０の下面に取り付けられる。本実施形態に係るテストヘッド側ケーブル収納部１５０は、当該境界部近傍の光ファイバケーブル１３０を収納し、複数の光ファイバケーブル１３０におけるテストヘッド１２０側の非収納部分を内部に収納する長さを調節可能とする。これによりテストヘッド側ケーブル収納部１５０は、テストヘッド側ケーブル収納部１５０から延伸してテストヘッド１２０に接続される光ファイバケーブル１３０の長さを適切に調整可能とする。
【００２９】
メインフレーム側ケーブル収納部１６０は、複数の光ファイバケーブル１３０におけるメインフレーム１１０側の非収納部分及び収納部分の境界部に設けられ、当該境界部近傍の光ファイバケーブル１３０を収納する。本実施形態に係るメインフレーム側ケーブル収納部１６０は、複数の光ファイバケーブル１３０におけるメインフレーム１１０側の非収納部分を内部に収納する長さを調節可能とする。これによりメインフレーム側ケーブル収納部１６０は、メインフレーム側ケーブル収納部１６０から延伸してメインフレーム１１０に接続される光ファイバケーブル１３０の長さを適切に調整可能とする。
【００３０】
ケーブルガイドユニット１８０は、２以上の光ファイバケーブル１３０を一括してテストボード１７０に着脱する。ケーブルガイドユニット１８０におけるテストボード１７０に接続される辺上には、光ファイバケーブル１３０の端部に位置するコネクタ１９０が配列される。
【００３１】
以上に示した光接続部１２５によれば、テストヘッド側ケーブル収納部１５０及びメインフレーム側ケーブル収納部１６０の間においては複数の光ファイバケーブル１３０をケーブル収納チェーンに収納して配線することにより、光ファイバケーブル１３０を保護すると共に、複数の光ファイバケーブル１３０が散乱するのを防ぐことができる。また、メインフレーム１１０の近傍にメインフレーム側ケーブル収納部１６０を配置し、テストヘッド側ケーブル収納部１５０の下面にテストヘッド側ケーブル収納部１５０を配置することにより、メインフレーム１１０とメインフレーム側ケーブル収納部１６０との間、及びテストヘッド１２０とテストヘッド側ケーブル収納部１５０との間において露出する光ファイバケーブル１３０の長さを適切に調整することができる。
【００３２】
図２は、本実施形態に係る光ファイバケーブルユニット１４０の構成を示す。図２（ａ）及び（ｂ）に光ファイバケーブルユニット１４０の側面図を示し、図２（ｃ）に光ファイバケーブルユニット１４０のＡＡ’断面図を示す。なお、図２（ａ）は、光ファイバケーブルユニット１４０が湾曲していない状態を示し、図２（ｂ）は、光ファイバケーブルユニット１４０が湾曲している状態を示す。
【００３３】
光ファイバケーブルユニット１４０は、集合ケーブル２００が重ね合わせ方向Ｂに複数積層された集合ケーブル群２０２と、積層された複数の集合ケーブル２００を互いに摺動可能に保持し、重ね合わせ方向Ｂに向けて湾曲可能なケーブル収納チェーン２０４とを備える。複数の集合ケーブル群２０２のそれぞれは、２以上の光ファイバケーブル１３０を束ねて分離しない１本のケーブルに成形したものである。ケーブル収納チェーン２０４は、集合ケーブル２００を複数束ねた状態で複数の光ファイバケーブル１３０を収納する。このケーブル収納チェーン２０４は、電気信号又は光信号を伝達するケーブルの周囲を覆うことによりケーブルを保護し、ケーブルの損傷を防ぐために設けられる。
【００３４】
より具体的には、ケーブル収納チェーン２０４は、テストヘッド側ケーブル収納部１５０及びメインフレーム側ケーブル収納部１６０の間において、複数の光ファイバケーブル１３０を束ねて収納する。すなわち、このケーブル収納チェーン２０４は、複数の光ファイバケーブル１３０におけるテストヘッド１２０側の一部の非収納部分と、メインフレーム１１０側の一部の非収納部分とを除いたテストヘッド側ケーブル収納部１５０及びメインフレーム側ケーブル収納部１６０間の収納部分を束ねて収納する。
【００３５】
図２（ａ）及び（ｂ）に示すように、ケーブル収納チェーン２０４は、複数のピース２０６が互いに回転可能に接続されて構成される。複数のピース２０６は、左右にそれぞれ設けられた溝２０８及び爪２１０をそれぞれ有し、隣り合う一のピース２０６の溝２０８と他のピースの爪２１０が嵌め合わされる。そして、一のピース２０６の爪２１０の動きが他のピース２０６の溝２０８の範囲に制限されることにより、隣り合うピース２０６間の曲角が制限される。これにより、ケーブル収納チェーン２０４の最小曲げ半径が制限される。ケーブル収納チェーン２０４の最小曲げ半径は、ケーブル収納チェーン２０４に収容された複数の集合ケーブル２００の許容曲げ半径より大きいことが好ましく、これにより、複数の集合ケーブル２００の曲げ半径を許容曲げ半径より大きく維持することができる。集合ケーブル２００の許容曲げ半径は、例えば５０ｍｍである。
【００３６】
また、図２（ｃ）に示すように、集合ケーブル２００は、一例として配列方向Ｃに並んで配列された複数の光ファイバ心線を含む２以上の光ファイバケーブル１３０を合わせたフラット型ケーブルであり、配列方向Ｃに複数繋ぎ合わされて配置される。また、ケーブル収納チェーン２０４は、重ね合わせ方向Ｂのケーブル収納チェーン２０４の側面に、ケーブル収納チェーン２０４の長手方向に沿って割れた背割れ部２１２を有する。これにより、ケーブル収納チェーン２０４は、光ファイバケーブルユニット１４０のねじれに対する柔軟性をもつことができる。
【００３７】
なお、ケーブル収納チェーン２０４は、集合ケーブル２００が積層されない空間を重ね合わせ方向Ｂに残して、集合ケーブル２００を積層させて保持することが好ましい。ケーブル収納チェーン２０４は、例えばケーブル収納チェーン２０４が重ね合わせ方向Ｂに有する空間の幅の約６０％以下まで集合ケーブル２００を積層させて保持することが好ましい。ケーブル収納チェーン２０４が重ね合わせ方向Ｂに余裕をもって集合ケーブル２００を保持することによって、集合ケーブル２００を自由に摺動させることができ、またケーブル収納チェーン２０４にねじれが生じた場合にそのねじれよる集合ケーブル２００への影響を軽減できる。
【００３８】
また、光ファイバケーブルユニット１４０は、積層された複数の集合ケーブル２００の間に、各層の集合ケーブル２００を滑らせて摺動可能に保持する摺動シートを更に有してもよい。
【００３９】
図３は、本実施形態に係るテストヘッド側ケーブル収納部１５０の構成を示す。テストヘッド側ケーブル収納部１５０は、収納ケース３００と、収納ケーブル固定部３３５と、テストヘッド側固定部３４０と、集合ケーブル固定部３３０と、１又は複数の収納部内固定部３５０及び収納部内固定部３６０と、１又は複数の取っ手３７０と、不図示の収納カバーとを有する。
【００４０】
収納ケース３００は、複数の光ファイバケーブル１３０におけるテストヘッド１２０側のケーブル収納チェーン２０４に収納されていない非収納部分を内部に収納する。収納ケーブル固定部３３５は、ケーブル収納チェーン２０４のテストヘッド１２０側の端部を、収納ケース３００におけるテストヘッド側ケーブル収納部１５０の外部及び内部の境界位置に固定する。本実施形態に係る収納ケーブル固定部３３５は、複数の光ファイバケーブルユニット１４０を、隣接する光ファイバケーブルユニット１４０との間の距離が光ファイバケーブルユニット１４０の幅より小さくなる間隔で収納ケース３００に固定する。これにより、複数の光ファイバケーブルユニット１４０が近傍に隣接するため、テストヘッド側ケーブル収納部１５０及びメインフレーム側ケーブル収納部１６０の間での光ファイバケーブルユニット１４０の取り回しが容易になる。
【００４１】
テストヘッド側固定部３４０は、複数の光ファイバケーブル１３０におけるテストヘッド１２０側の非収納部分を、当該テストヘッド側ケーブル収納部１５０の内部に収納される部分及び当該テストヘッド側ケーブル収納部１５０の外部に延伸する部分の境界において収納ケース３００に固定する。集合ケーブル固定部３３０は、ケーブル収納チェーン２０４から延伸する集合ケーブル２００を、２以上の光ファイバケーブル１３０に分離する端部において収納ケース３００に固定する。
【００４２】
１又は複数の収納部内固定部３５０は、集合ケーブル２００におけるテストヘッド１２０側のケーブル収納チェーン２０４に収納されていない非収納部分のうち当該テストヘッド側ケーブル収納部１５０の内部に収納される部分を、集合ケーブル２００の許容曲げ半径より大きい曲げ半径となるように湾曲させて固定する。これにより、光ファイバケーブルユニット１４０の曲率を変えた結果集合ケーブル２００がケーブル収納チェーン２０４の内部で摺動した場合においても、集合ケーブル２００の長手方向の移動を吸収することができる。
【００４３】
１又は複数の収納部内固定部３６０は、光ファイバケーブル１３０におけるテストヘッド１２０側の非収納部分のうち当該テストヘッド側ケーブル収納部１５０の内部に収納される部分を、光ファイバケーブル１３０の許容曲げ半径より大きい曲げ半径となるように湾曲させて固定する。これにより、テストヘッド側ケーブル収納部１５０は、複数の光ファイバケーブル１３０のそれぞれを、テストヘッド側ケーブル収納部１５０からテストヘッド１２０へと延伸するテストヘッド１２０側の非収納部分の長さが調整された状態で収納ケース３００に固定することができる。また、例えば光ファイバケーブル１３０におけるテストヘッド１２０側の端部のコネクタが故障した場合においても、光ファイバケーブル１３０を切断して新しいコネクタを付け直し、切断により短くなった分だけテストヘッド側ケーブル収納部１５０の内部に収納された光ファイバケーブル１３０の非収納部分を引き出すことができる。
【００４４】
取っ手３７０は、テストヘッド１２０を回転してパフォーマンスボード１２２を下側とした状態において、収納ケース３００を持ち上げテストヘッド１２０の上側に設置するために用いられる。収納ケース固定部３８０は、収納ケース３００をテストヘッド１２０に取り付けるための取付溝を有する。収納ケース３００は、テストヘッド１２０に設けられた突起部を当該取付溝に挿入した後にテストヘッド１２０に対してスライドされ、テストヘッド１２０に対して固定される。テストヘッド１２０に固定されると、収納ケース３００の上側に収納カバーが被せられる。そして、テストヘッド１２０を再び回転してパフォーマンスボード１２２を上側に戻す。この結果、テストヘッド側ケーブル収納部１５０は、被試験デバイスの試験時においてテストヘッド１２０の下側に位置する。
【００４５】
メインフレーム側ケーブル収納部１６０は、テストヘッド側ケーブル収納部１５０とほぼ同様の構成を採るため、以下相違点を除き説明を省略する。メインフレーム側ケーブル収納部１６０の収納ケーブル固定部３３５は、ケーブル収納チェーン２０４におけるメインフレーム１１０側の端部を固定する。テストヘッド側固定部３４０に対応するメインフレーム側固定部は、複数の光ファイバケーブル１３０におけるメインフレーム１１０側のケーブル収納チェーン２０４に収納されない非収納部分を、当該メインフレーム側ケーブル収納部１６０の内部に収納される部分及び当該メインフレーム側ケーブル収納部１６０の外部に延伸する部分の境界において固定する。なお、メインフレーム側ケーブル収納部１６０は、集合ケーブル固定部３３０を有しない構成を採ってよく、これに代えて集合ケーブル固定部３３０を有する構成を採ってもよい。集合ケーブル固定部３３０を有する構成においては、集合ケーブル固定部３３０は、ケーブル収納チェーン２０４から延伸する集合ケーブル２００を、２以上の光ファイバケーブル１３０に分離する端部において固定する。
【００４６】
１又は複数の収納部内固定部３５０は、集合ケーブル２００におけるメインフレーム１１０側の非収納部分のうち当該メインフレーム側ケーブル収納部１６０の内部に収納される部分を、集合ケーブル２００の許容曲げ半径より大きい曲げ半径となるように湾曲させて固定する。１又は複数の収納部内固定部３６０は、光ファイバケーブル１３０におけるメインフレーム１１０側の非収納部分のうち当該メインフレーム側ケーブル収納部１６０の内部に収納される部分を、光ファイバケーブル１３０の許容曲げ半径より大きい曲げ半径となるように湾曲させて固定する。
【００４７】
なお、本実施形態に係るメインフレーム側ケーブル収納部１６０は、メインフレーム１１０近傍の床面上に設置されるため、取っ手３７０及び収納ケース固定部３８０を有しなくてもよい。
【００４８】
図４は、本実施形態に係る収納ケース３００と、収納部内固定部３５０及び３６０との構成の一例を示す。収納ケース３００の底板４００は、複数の穴部４１０を有する。収納部内固定部３５０は集合ケーブル２００を束ねて固定し、収納部内固定部３６０は光ファイバケーブル１３０を束ねて固定する。一例として収納部内固定部３５０及び３６０は、背割れ部を有するリング部分に集合ケーブル２００及び光ファイバケーブル１３０を通すことにより、集合ケーブル２００及び光ファイバケーブル１３０を束ねる。
【００４９】
また、収納部内固定部３５０及び３６０は、穴部４１０に挿入されて収納部内固定部３５０及び３６０を底板４００に固定する固定用端部を有する。この固定用端部は、例えば穴部４１０に挿入され、底板４００における光ファイバケーブル１３０が収納される面の反対側において、当該固定用端部の先端近傍に設けられた鈎部が穴部４１０の直径より広がることにより、当該固定用端部が穴部４１０から外れないように固定する。これにより収納部内固定部３５０及び３６０は底板４００に固定され、集合ケーブル２００及び光ファイバケーブル１３０が底板４００の面方向に移動するのを防ぐ。また、収納部内固定部３５０及び３６０は、穴部４１０から取り外せる構造を採ってもよい。この場合、収納部内固定部３５０及び３６０は、例えば穴部４１０の直径より広がっている鈎部を押さえて穴部４１０の直径より小さく閉じた状態で、穴部４１０から引き抜ける構造及び材質をとる。
【００５０】
以上において、底板４００は、複数の穴部４１０を、例えば５ｃｍ間隔等の予め定められた間隔で格子状等に配列した構造を採ってもよい。これにより、適切な穴部４１０に収納部内固定部３５０及び３６０を挿入し、集合ケーブル２００及び光ファイバケーブル１３０を当該収納部内固定部３５０及び３６０により固定することで、集合ケーブル２００及び光ファイバケーブル１３０の最小曲げ半径の条件を満たすように集合ケーブル２００及び光ファイバケーブル１３０を底板４００に固定することができる。
【００５１】
図５は、本実施形態に係る光接続部１２５の製造方法を示す。この光接続部１２５の製造方法は、試験装置１００の製造工程の一部を構成する。
まず、ケーブル収納段階Ｓ５００において、メインフレーム１１０とテストヘッド１２０とを光接続する複数の光ファイバケーブル１３０におけるテストヘッド１２０側の一部の非収納部分、及び、メインフレーム１１０側の一部の非収納部分を除いた収納部分を束ね、ケーブル収納チェーン２０４に収納する。
【００５２】
次に、テストヘッド側収納段階Ｓ５１０からＳ５２５において、複数の光ファイバケーブル１３０におけるテストヘッド１２０側の非収納部分及び収納部分の境界部に、複数の光ファイバケーブル１３０におけるテストヘッド１２０側の非収納部分を内部に収納する長さが調節可能なテストヘッド側ケーブル収納部１５０を設ける。
【００５３】
より具体的には、テストヘッド側収納ケーブル取付段階Ｓ５１０において、ケーブル収納チェーン２０４のテストヘッド１２０側の端部を、収納ケーブル固定部３３５によりテストヘッド側ケーブル収納部１５０に固定する。また、ケーブル収納チェーン２０４から延伸する集合ケーブル２００を、２以上の光ファイバケーブル１３０に分離する端部において集合ケーブル固定部３３０によりテストヘッド側ケーブル収納部１５０に固定する。そして、集合ケーブル２００におけるテストヘッド１２０側のケーブル収納チェーン２０４に収納されていない非収納部分のうち当該テストヘッド側ケーブル収納部１５０の内部に収納される部分を、集合ケーブル２００の許容曲げ半径より大きい曲げ半径となるように湾曲させて収納部内固定部３５０により固定する。
【００５４】
次に、テストヘッド側仮接続段階Ｓ５１５において、複数の光ファイバケーブル１３０をテストヘッド治具に仮接続する。ここで、テストヘッド治具は、複数の光ファイバケーブル１３０を最終的に接続するテストヘッド１２０の実機とは異なる場所、すなわち例えば光接続部１２５の製造工場等に設けられ、複数の光ファイバケーブル１３０をそれぞれ接続するテストヘッド１２０の実機における複数のコネクタと同じ配置で設けられた複数のコネクタを有する。
【００５５】
次に、テストヘッド側ケーブル長調整段階Ｓ５２０において、複数の光ファイバケーブル１３０がテストヘッド治具に接続された状態で、複数の光ファイバケーブル１３０におけるテストヘッド１２０側の非収納部分を内部に収納する長さを調整する。すなわち、複数の光ファイバケーブル１３０のそれぞれにおける、テストヘッド側ケーブル収納部１５０からテストヘッド１２０へと延伸するテストヘッド１２０側の非収納部分の長さは、当該光ファイバケーブル１３０を固定するテストヘッド側固定部３４０及び当該光ファイバケーブル１３０をテストヘッド１２０に接続するコネクタの位置に応じて定められる。
【００５６】
次に、テストヘッド側光ファイバケーブル固定段階Ｓ５２５において、テストヘッド側固定部３４０を用いて、複数の光ファイバケーブル１３０におけるテストヘッド１２０側の非収納部分を、当該テストヘッド側ケーブル収納部１５０の内部に収納される部分及び当該テストヘッド側ケーブル収納部１５０の外部に延伸する部分の境界において収納ケース３００に固定する。また、光ファイバケーブル１３０におけるテストヘッド１２０側のケーブル収納チェーン２０４に収納されていない非収納部分のうち当該テストヘッド側ケーブル収納部１５０の内部に収納される部分を、光ファイバケーブル１３０の許容曲げ半径より大きい曲げ半径となるように湾曲させて収納部内固定部３６０により固定する。
【００５７】
次に、メインフレーム側収納段階Ｓ５３０からＳ５４５において、複数の光ファイバケーブル１３０におけるメインフレーム１１０側の非収納部分及び収納部分の境界部に、複数の光ファイバケーブル１３０におけるメインフレーム１１０側の非収納部分を内部に収納する長さが調節可能なメインフレーム側ケーブル収納部１６０を設ける。
【００５８】
より具体的には、メインフレーム側ケーブル取付段階Ｓ５３０において、ケーブル収納チェーン２０４のメインフレーム１１０側の端部を、収納ケーブル固定部３３５によりメインフレーム側ケーブル収納部１６０に固定する。また、ケーブル収納チェーン２０４から延伸する集合ケーブル２００を、２以上の光ファイバケーブル１３０に分離する端部において集合ケーブル固定部３３０によりテストヘッド側ケーブル収納部１５０に固定する。そして、集合ケーブル２００におけるメインフレーム１１０側のケーブル収納チェーン２０４に収納されていない非収納部分のうち当該メインフレーム側ケーブル収納部１６０の内部に収納される部分を、集合ケーブル２００の許容曲げ半径より大きい曲げ半径となるように湾曲させて収納部内固定部３５０により固定する。
【００５９】
次に、メインフレーム側仮接続段階Ｓ５３５において、複数の光ファイバケーブル１３０をメインフレーム治具に仮接続する。ここで、メインフレーム治具は、複数の光ファイバケーブル１３０を最終的に接続するメインフレーム１１０の実機とは異なる場所、すなわち例えば光接続部１２５の製造工場等に設けられ、複数の光ファイバケーブル１３０をそれぞれ接続するメインフレーム１１０の実機における複数のコネクタ１９０と同じ配置で設けられた複数のコネクタ１９０を有する。
【００６０】
次に、メインフレーム側ケーブル長調整段階Ｓ５４０において、複数の光ファイバケーブル１３０がメインフレーム治具に接続された状態で、複数の光ファイバケーブル１３０におけるメインフレーム１１０側の非収納部分を内部に収納する長さを調整する。すなわち、複数の光ファイバケーブル１３０のそれぞれにおける、メインフレーム側ケーブル収納部１６０からメインフレーム１１０へと延伸するメインフレーム１１０側の非収納部分の長さは、当該光ファイバケーブル１３０を固定するテストヘッド側固定部３４０及び当該光ファイバケーブル１３０をメインフレーム１１０に接続するコネクタ１９０の位置に応じて定められる。
【００６１】
次に、メインフレーム側光ファイバケーブル固定段階Ｓ５４５において、メインフレーム側固定部を用いて、複数の光ファイバケーブル１３０におけるテストヘッド１２０側の非収納部分を、当該メインフレーム側ケーブル収納部１６０の内部に収納される部分及び当該メインフレーム側ケーブル収納部１６０の外部に延伸する部分の境界において収納ケース３００に固定する。また、光ファイバケーブル１３０におけるテストヘッド１２０側のケーブル収納チェーン２０４に収納されていない非収納部分のうち当該メインフレーム側ケーブル収納部１６０の内部に収納される部分を、光ファイバケーブル１３０の許容曲げ半径より大きい曲げ半径となるように湾曲させて収納部内固定部３６０により固定する。
【００６２】
次に、仮接続取外し段階Ｓ５５０において、複数の光ファイバケーブル１３０を、メインフレーム治具及びテストヘッド治具から取り外す。そして、実機接続段階Ｓ５６０において、光接続部１２５をメインフレーム１１０及びテストヘッド１２０の実機に接続する。
【００６３】
以上に示した光接続部１２５の製造方法によれば、メインフレーム治具及びテストヘッド治具を用いてメインフレーム側ケーブル収納部１６０及びテストヘッド側ケーブル収納部１５０から延伸する複数の光ファイバケーブル１３０のケーブル長を予め調整することができる。これにより、試験装置１００の納入先においてケーブル長を調整する作業を行う必要がなくなるため、納入作業を効率化することができる。なお、メインフレーム治具及びテストヘッド治具を用いてケーブル長を調整するのに代えて、メインフレーム１１０及びテストヘッド１２０の実機を用いてケーブル長を調整してもよい。
【００６４】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【図面の簡単な説明】
【００６５】
【図１】本発明の実施形態に係る試験装置１００の構成を示す。
【図２】本発明の実施形態に係る光ファイバケーブルユニット１４０の構成を示す。
【図３】本発明の実施形態に係るテストヘッド側ケーブル収納部１５０の構成を示す。
【図４】本発明の実施形態に係る収納ケース３００と、収納部内固定部３５０及び収納部内固定部３６０との構成の一例を示す。
【図５】本発明の実施形態に係る光接続部１２５の製造方法を示す。
【符号の説明】
【００６６】
１００  試験装置
１１０  メインフレーム
１２０  テストヘッド
１２２  パフォーマンスボード
１２５  光接続部
１３０  光ファイバケーブル
１４０  光ファイバケーブルユニット
１５０  テストヘッド側ケーブル収納部
１６０  メインフレーム側ケーブル収納部
１７０  テストボード
１８０  ケーブルガイドユニット
１９０  コネクタ
２００  集合ケーブル
２０２  集合ケーブル群
２０４  ケーブル収納チェーン
２０６  ピース
２０８  溝
２１０  爪
２１２  背割れ部
３００  収納ケース
３３０  集合ケーブル固定部
３３５  収納ケーブル固定部
３４０  テストヘッド側固定部
３５０  収納部内固定部
３６０  収納部内固定部
３７０  取っ手
３８０  収納ケース固定部
４００  底板
４１０  穴部
【図１】
2006153766.tif 000003
【図２】
2006153766.tif 000004
【図３】
2006153766.tif 000005
【図４】
2006153766.tif 000006
【図５】
2006153766.tif 000007